(57)【要約】【課題】容器体開口部の開口面積を可変とする蓋片を利用することで装飾的効果を得ることが可能な揮散容器を提供する。【解決手段】  揮発性の内容物を収納した容器体１の天面に揮散用の開口部５を形成した揮散容器において、前記開口部５へ複数の蓋片１０を嵌合可能に設け、該蓋片の着脱による数と組合せの一方又は双方により前記開口部の開口面積を可変とすることで揮散量を調節可能に設けた。【選択図】  図１
2011031934.tif 000002
【特許請求の範囲】
【請求項１】
揮発性の内容物を収納した容器体１の天面に揮散用の開口部５を形成した揮散容器において、
前記開口部５へ複数の蓋片１０を嵌合可能に設け、該蓋片の着脱による数と組合せの一方又は双方により前記開口部の開口面積を可変とすることで揮散量を調節可能に設けたことを特徴とする揮散容器。
【請求項２】
前記蓋片１０の部分１３ａ、１３ｂ、１３ｃ、１３ｄを前記開口部の周沿いに偶数個配置し、かつ軸対称に位置する一対の蓋片部分の対向端同士を連結板１４ａ、１４ｂを介して一体に連結して、各対の連結板を上下に交差させると共に、各蓋片部分１３ａ、１３ｂ、１３ｃ、１３ｄおよび各連結板１４ａ、１４ｂを同一形状に形成したことを特徴とする請求項１記載の揮散容器。
【請求項３】
隣接する蓋片１０の周面を凹凸の係合手段を介して互いに係合させたことを特徴とする請求項１又は２記載の揮散容器。
【請求項４】
前記蓋片の少なくとも１つに揮散孔２０を設けて、該揮散孔を有する蓋片と揮散孔を有しない蓋片との組合せで前記開口部５の開口面積を可変にしたことを特徴とする請求項１、２又は３いずれか１項記載の揮散容器。
【請求項５】
前記開口部の開口面積を、前記蓋片を前記開口部から取外して該蓋片間に間隔を設けることにより可変にしたことを特徴とする請求項１、２又は３いずれか１項記載の揮散容器。
【請求項６】
前記揮散孔を開閉可能な装飾備品を設け、該装飾備品による前記揮散孔の開閉で前記開口部の開口面積を可変にしたことを特徴とする請求項４記載の揮散容器。
【請求項７】
周壁２上端から内向きフランジを介して有底収納筒３を垂下して、該収納筒の上端内周面に上向き段部４を設けて前記容器体を形成すると共に、前記内向きフランジ内方を前記揮散用の開口部５となし、
前記開口部５へ前記蓋片１０を嵌合させて前記上向き段部４へ載置させたことを特徴とする請求項１ないし６いずれか１項記載の揮散容器。
【請求項８】
周壁３１上端から内向きフランジを介して短筒３３を垂下し、該短筒上部を上向き段部３４を介して大内径部に形成すると共に、該短筒下端に第２内向きフランジ３５を付設し、該第２内向きフランジを介して収納筒３８を交換可能に保持させると共に、前記内向きフランジ内方を揮散用の開口部３９となし、
前記開口部３９へ前記蓋片１０を嵌合させて前記上向き段部３４へ載置させたことを特徴とする請求項１ないし６いずれか１項記載の揮散容器。
【請求項９】
前記蓋片をそれぞれ色彩の異なる板体で形成し、該蓋片の着脱による組合せで加飾可能に設けたことを特徴とする請求項１ないし８いずれか１項記載の揮散容器。
【発明の詳細な説明】
【技術分野】
【０００１】
本発明は揮発性の内容物を収納して開口部から揮散させることが可能な揮散容器に関する。
【背景技術】
【０００２】
芳香剤等の内容物を充填する容器に装着され、該容器内の内容物を吸い上げて揮散させる揮散器において、天面に開口を有すると共に前記容器に着脱自在に係止するケース本体と、このケース本体の内部に設置され容器内の内容物を吸上げ芯を介して吸い上げて揮散させる揮散体とを備え、ケース本体に、前記開口に接近、離隔する向きにスライド可能な蓋体を設け、前記揮散体は、蓋体のスライドに伴ってその表面積を可変とするスポンジ等の可変部材にて構成した揮散容器が従来技術として知られている。
【先行技術文献】
【特許文献】
【０００３】
【特許文献１】特開２００５−１３２３８０号公報
【発明の概要】
【発明が解決しようとする課題】
【０００４】
しかしながら、従来技術は、蓋体が一枚の板状体からなるため、蓋体自体を利用して装飾的効果を得ることができないという課題がある。
本発明は、上記課題を解決するためになされたもので、容器体開口部の開口面積を可変とする蓋片を利用することで装飾的効果を得ることが可能な揮散容器を提供することを目的とする。
【課題を解決するための手段】
【０００５】
上記課題を解決するために、本発明は、揮発性の内容物を収納した容器体１の天面に揮散用の開口部５を形成した揮散容器において、
前記開口部５へ複数の蓋片１０を嵌合可能に設け、該蓋片の着脱による数と組合せの一方又は双方により前記開口部の開口面積を可変とすることで揮散量を調節可能に設けたことを特徴とする。
【０００６】
また、本発明は、前記蓋片１０の部分１３ａ、１３ｂ、１３ｃ、１３ｄを前記開口部の周沿いに偶数個配置し、かつ軸対称に位置する一対の蓋片部分の対向端同士を連結板１４ａ、１４ｂを介して一体に連結して、各対の連結板を上下に交差させると共に、各蓋片部分１３ａ、１３ｂ、１３ｃ、１３ｄおよび各連結板１４ａ、１４ｂを同一形状に形成したことを特徴とする。
【０００７】
さらに、本発明は、隣接する蓋片１０の周面を凹凸の係合手段を介して互いに係合させたことを特徴とする。
【０００８】
さらに、本発明は、前記蓋片の少なくとも１つに揮散孔２０を設けて、該揮散孔を有する蓋片と揮散孔を有しない蓋片との組合せで前記開口部５の開口面積を可変にしたことを特徴とする。
【０００９】
さらに、本発明は、前記開口部の開口面積を、前記蓋片を前記開口部から取外して該蓋片間に間隔を設けることにより可変にしたことを特徴とする。
【００１０】
さらに、本発明は、前記揮散孔を開閉可能な装飾備品を設け、該装飾備品による前記揮散孔の開閉で前記開口部の開口面積を可変にしたことを特徴とする。
【００１１】
さらに、本発明は、周壁２上端から内向きフランジを介して有底収納筒３を垂下して、該収納筒の上端内周面に上向き段部４を設けて前記容器体を形成すると共に、前記内向きフランジ内方を前記揮散用の開口部５となし、
前記開口部５へ前記蓋片１０を嵌合させて前記上向き段部４へ載置させたことを特徴とする。
【００１２】
さらに、本発明は、周壁３１上端から内向きフランジを介して短筒３３を垂下し、該短筒上部を上向き段部３４を介して大内径部に形成すると共に、該短筒下端に第２内向きフランジ３５を付設し、該第２内向きフランジを介して収納筒３８を交換可能に保持させると共に、前記内向きフランジ内方を揮散用の開口部３９となし、
前記開口部３９へ前記蓋片１０を嵌合させて前記上向き段部３４へ載置させたことを特徴とする。
【００１３】
さらに、本発明は、前記蓋片をそれぞれ色彩の異なる板体で形成し、該蓋片の着脱による組合せで加飾可能に設けたことを特徴とする。
【発明の効果】
【００１４】
本発明は、開口部の開口面積を可変とする蓋体が複数の蓋片で構成されているので、それぞれの蓋片の色彩を異ならせることにより装飾的効果を得ることができる。
【００１５】
また、本発明は、蓋片を同一形状にしたので、蓋片の成形に際して同一金型を使用することができ、よってコスト削減が可能になる。
【００１６】
さらに、本発明は、隣接する蓋片の周面を凹凸の係合手段を介して互いに係合させたので、隣接する蓋片を互いに強固に結合させることができる。
【００１７】
さらに、本発明は、蓋片の少なくとも１つに揮散孔を設けたので、該揮散孔に観葉植物等の装飾品を装着することができ、これによって装飾的効果を得ることができる。
【００１８】
さらに、本発明は、蓋片を開口部から取外して該蓋片間に間隔を設けることにより、または開閉部材による揮散孔の開閉により、開口部の開口面積を可変にしたので、開口面積の可変手段の豊富化を図ることができる。
【図面の簡単な説明】
【００１９】
【図１】本発明に係る揮散容器の平面図である。
【図２】図１の縦断面図である。
【図３】第２実施形態の図１相当図である。
【図４】図３の縦断面図である。
【図５】一対の蓋片の斜視図である。
【図６】第３実施形態の図１相当図である。
【図７】図６の縦断面図である。
【図８】第４実施形態の図１相当図である。
【図９】図８の縦断面図である。
【発明を実施するための形態】
【００２０】
以下、本発明の実施の形態について、図面を参照しながら詳細に説明する。
【００２１】
図１において、１は容器体で、横断面形状が正方形状の周壁２上端に内向きフランジ２ａを付設し、該内向きフランジ内周から有底収納筒３を垂下すると共に、該収納筒３の上端を上向き段部４を介して大内径部に形成する。その際、有底収納筒３下端を周壁２下面よりやや上方へ位置させる。なお、内向きフランジ２で囲まれた空間部分を揮散用の開口部５となす。
【００２２】
１０は蓋片で、正方形状の開口部５へ嵌合させて上向き段部４上へ載置させた仮想の正方形状蓋体を、その対向辺５ａ、５ｃおよび５ｂ、５ｂの中点同士を結ぶ一対の線分６ａ、６ｂで四分割することで４つの正方形状部分１１ａ、１１ｂ、１１ｃ、１１ｄを形成し、さらに一対の線分６ａ、６ｂの交点を通る垂線を軸線１２として、軸対称に位置する一対の正方形状部分１１ａ、１１ｃ、１１ｂ、１１ｄの対向する角部１２ａ、１２ｃ、１２ｂ、１２ｄを円弧状に切除して４つの蓋片部分１３ａ、１３ｂ、１３ｃ、１３ｄを形成し、かつ対向する各対の円弧状の角部を連結板１４ａ、１４ｂで一体に連結することにより構成する。
【００２３】
すなわち、本実施形態では、蓋片１０は一対の正方形状の蓋片部分１３ａ、１３ｃ又は１３ｂ、１３ｄと一対の蓋片部分を連結する連結板１４ａ又は１４ｂとで構成されている。
【００２４】
上記のように対向する蓋片部分１３ａ、１３ｂ、１３ｃ、１３ｄは連結板１４ａ、１４ｂで連結されるため、これら一対の連結板は開口部５の中央部で交差して重合する。このためこの重合部分が膨らみをもたないようにすべく、一方の対の連結板１４ａは蓋片部分１３ａ、１３ｃ側面の上半部に、また他方の対の連結板１４ｂは蓋片部分１３ｂ、１３ｄ側面の下半部に、それぞれ設ける。
【００２５】
なお、隣接する一方の対の蓋片部分１３ａ、１３ｃ周面には連結板１４ａと同一面を形成する下向き段部１５ａを、また他方の対の蓋片部分１３ｂ、１３ｄの周面には連結板１４ｂと同一面を形成する上向き段部１５ｂを、それぞれ形成して、下向き段部１５ａを上向き段部１５ｂ上へ載置させる。これら下向き段部１５ａと上向き段部１５ｂとは凹凸の係合手段を構成する。
【００２６】
２０は揮散孔で、本実施形態では蓋片部分１３ａ、１３ｂ、１３ｃ、１３ｄのそれぞれに設けるが、少なくとも１つの蓋片部分に設けることも可能である。
【００２７】
次に作用について説明する。
図１は一対の蓋片１０、１０が開口部５へ嵌合された状態を示す。収納筒内へ収納された芳香剤等の揮発性内容物から揮発した芳香は揮散孔２０から容器体外へ揮散される。揮散量を多くしたい場合には、１つまたは２つの蓋片１０を開口部５から取外せばよい。
【００２８】
反対に揮散量を少なくしたい場合には、任意の数の揮散孔２０を適当な閉塞部材で閉塞すればよい。閉塞部材には、特に限定はないが、観葉植物や装飾的物品を用いることでより装飾的効果を高めることができる。
【００２９】
蓋片１０としては上記に限らず、例えば長方形状でもよく、この場合には、例えば一対の長方形状蓋片を平行に並べ、かつ隣接して接触する側面に設けた上向き段部と下向き段部とを係合させる。
【００３０】
図３および図４は他の実施形態を示すもので、本実施形態では収納筒を交換可能にした点において第１実施形態と異なる。すなわち容器体３０の周壁３１上端から内向きフランジ３２を介して短筒３３を垂下し、該短筒上部を上向き段部３４を介して大内径部に形成すると共に、該短筒下端に第２内向きフランジ３５を付設し、該第２内向きフランジ上面へ離脱可能に係合させた外向きフランジ３６内周から有底周壁３７を垂下して、これら外向きフランジ３６と周壁３７とで収納筒３８を形成する。収納筒を交換するには、蓋片１０を開口部３９から取外して後、収納筒を取り出せばよい。
【００３１】
図６および図７は第３の実施形態を示すもので、第１実施形態とは容器体の周壁２と収納筒３とのそれぞれを円筒形状にし、かつ蓋片部分１３ａ、１３ｂ、１３ｃ、１３ｄを開口部５の形状に合うように扇形状にした点において相違する。その他の構成は第１実施形態と同一であるから説明を省略する。
【００３２】
図８および図９は第４の実施形態を示すもので、第２実施形態とは容器体の周壁と収納筒とのそれぞれを円筒形状にし、かつ蓋片部分１３ａ、１３ｂ、１３ｃ、１３ｄを開口部５の形状に合うように扇形状にした点において相違する。その他の構成は第２実施形態と同一であるから説明を省略する。
【産業上の利用可能性】
【００３３】
本発明は揮発性の内容物を収納して開口部から揮散させることが可能な揮散容器の分野に利用することができる。
【符号の説明】
【００３４】
１  容器体
２  周壁
３  収納筒
４  上向き段部
１０  蓋片
１３ａ、１３ｂ、１３ｃ、１３ｄ  蓋片部分
１４ａ、１４ｂ  連結板
１５ａ  下向き段部
１５ｂ  上向き段部
２０  揮散孔
３０  容器体
３１  周壁
３２  内向きフランジ
３３  短筒
３５  第２内向きフランジ
３６  外向きフランジ
３７  周壁
３８  収納筒
３９  開口部
【図１】
2011031934.tif 000003
【図２】
2011031934.tif 000004
【図３】
2011031934.tif 000005
【図４】
2011031934.tif 000006
【図５】
2011031934.tif 000007
【図６】
2011031934.tif 000008
【図７】
2011031934.tif 000009
【図８】
2011031934.tif 000010
【図９】
2011031934.tif 000011